(57)【要約】モジュール式壁断熱システムのための壁断熱パネルシリーズであって、各壁断熱パネルは、少なくとも、第１の保護シェルと、１つ以上の中間ＶＩＰパネルと、第２の保護シェルとからなる連続層を備え、このシリーズの壁断熱パネルは、２つ以上のセットを含み、各セットが、完全に又は実質的に同一の外形寸法を有する第１及び第２の保護シェルを含み、少なくとも第１及び第２のセットが、（ｉ）異なる数の同一のＶＩＰパネル、（ｉｉ）異なる形状のＶＩＰパネル、又は（ｉ）及び（ｉｉ）の両方、のうちいずれかを含むことを特徴とする、壁断熱パネルシリーズ。これにより、壁断熱パネルの建築家、設計者、及び／又は設置者に、単一の「形状」又は「外形」を有するＶＩＰ壁断熱パネルの異なるセットを提供することができる。よって、設計者等は、全体、及び各壁の部分、位置、又は配置等の両方について、いくつの及びどの壁断熱パネルが、かつどこで必要とされるかを、より容易に理解、計画、ないしは、予測することができる。
2015505922.tif 000002
【特許請求の範囲】
【請求項１】
モジュール式壁断熱システムのための壁断熱パネルシリーズであって、各壁断熱パネルが、少なくとも、第１の保護シェルと、
１つ以上の中間ＶＩＰパネルと、
第２の保護シェルと、からなる連続層を備え、
前記シリーズの前記壁断熱パネルが、２つ以上のセットを含み、各セットが、完全に又は実質的に同一の外形寸法を有する第１及び第２の保護シェルを含み、少なくとも第１及び第２のセットが、
（ｉ）異なる数の同一のＶＩＰパネル、
（ｉｉ）異なる形状のＶＩＰパネル、又は
（ｉｉｉ）（ｉ）及び（ｉｉ）の両方、のうちいずれかを含むことを特徴とする、壁断熱パネルシリーズ。
【請求項２】
前記壁断熱パネルのうちの１つ以上が、前記第２の保護シェルの外接面の変形を伴わずに、前記又は各ＶＩＰパネルの拡張を可能にするために、前記第１及び前記第２の保護シェルのうちの少なくとも１つとＶＩＰパネルとの間に１つ以上の拡張領域を更に含む、請求項１に記載のシリーズ。
【請求項３】
前記拡張領域が、補正層を含む、請求項２に記載のシリーズ。
【請求項４】
前記拡張領域が、ＶＩＰ接面とＶＩＰパネルとの間に延在する一連のリブ又は管を備え、前記リブ又は管の少なくとも一部が変形可能である、請求項２又は３に記載のシリーズ。
【請求項５】
各ＶＩＰパネルが、ヒュームドシリカのＶＩＰパネルである、請求項１〜４のいずれか一項に記載のシリーズ。
【請求項６】
前記壁断熱パネルが、約２対１の側面比の長方形である、請求項１〜５のいずれか一項に記載のシリーズ。
【請求項７】
前記第１及び前記第２の保護シェルが、可変数のＶＩＰパネル、可変形状のＶＩＰパネル、又は両方を収容するために、複数の空洞をその間に形成する、請求項１〜６のいずれか一項に記載のシリーズ。
【請求項８】
（ａ）２つの同一の形状のＶＩＰパネルを含む壁断熱パネルの第１のセットと、
（ｂ）１つのＶＩＰパネルを含む壁断熱パネルの第２のセットと、
（ｃ）２つの異なる形状のＶＩＰパネルを含む壁断熱パネルの第３のセットと、を少なくとも含む、請求項１〜７のいずれか一項に記載のシリーズ。
【請求項９】
前記第１のセット、前記第２のセット、及び任意に前記第３のセットのうちの１つの前記ＶＩＰパネルが、同一のＶＩＰパネルの形状を有する、請求項８に記載のシリーズ。
【請求項１０】
前記第３のセットの前記ＶＩＰパネルが、第１の形状を有する第１のＶＩＰパネルと、前記第１のＶＩＰパネルの前記形状の半分の幅及び／又は高さである第２のＶＩＰパネルとを備える、請求項８又は９に記載のシリーズ。
【請求項１１】
各セットが、任意に同一の材料から形成される、同一の第１及び第２の保護シェルを含む、請求項１〜１０のいずれか一項に記載のシリーズ。
【請求項１２】
前記第１及び前記第２の保護シェルが、成形される、請求項１〜１１のいずれか一項に記載のシリーズ。
【請求項１３】
前記第１及び前記第２の保護シェルのうちの一方又は両方が、長手方向のスプライン凹部を更に備え、前記シリーズが、中間の当接する壁断熱パネルに適合する、複数のスプラインを含む、請求項１〜１２のいずれか一項に記載のシリーズ。
【請求項１４】
各壁断熱パネルが、各パネル角部に壁固定開口部と、ＶＩＰパネルからオフセットした中心点を通る１つの壁固定開口部とを含み、各開口部が前記連続パネル層へ横方向に延在する、請求項１〜１３のいずれか一項に記載のシリーズ。
【請求項１５】
１つ以上のＶＩＰパネルを含む壁断熱パネルであって、完全に又は実質的に同一の外形寸法を有し、複数の空洞をその間に形成する、第１及び第２の成形保護シェルを備え、前記シェルが、
（ｉｖ）異なる数の同一のＶＩＰパネル、
（ｖ）異なる形状のＶＩＰパネル、又は
（ｖｉ）（ｉ）及び（ｉｉ）の両方、のうちいずれかを収容することができる壁断熱パネル。
【請求項１６】
第１及び第２の保護シェルが、第１の形状を有する１つ以上のＶＩＰパネル、並びに前記第１のＶＩＰパネルの前記形状の幅及び／又は高さの半分である１つ以上のＶＩＰパネルを収容することができる、請求項１５に記載の壁断熱パネル。
【請求項１７】
請求項１〜１４のいずれか一項において定義される当接する２つ以上の壁断熱パネルシリーズを備える、壁断熱クラッディング。
【請求項１８】
請求項１５又は１６で定義される２つ以上の異なる壁断熱パネルを備えるモジュール式壁断熱システム。
【発明の詳細な説明】
【技術分野】
【０００１】
（関連出願の相互参照）
本出願は、２０１１年１２月５日出願の米国特許仮出願第６１／５６６，７４８号に対する優先権及びその全ての利益を主張するものであり、その内容は、参照することにより本明細書に組み込まれる。
【０００２】
（発明の分野）
本発明は、各パネルが１つ以上の真空断熱パネルを備える、モジュール式壁断熱システムのための壁断熱パネルセットシリーズ、並びに前記壁断熱パネルを備える壁断熱クラッディングに関する。
【背景技術】
【０００３】
真空断熱パネル（ＶＩＰ）は、しばしば「ＶＩＰパネル」とも呼ばれ、非常に効率的で高度な断熱技術であり、従来のプラスチック発泡体又は繊維質の断熱材よりも少なくとも３〜７倍のより効果的な断熱性を有する。ＶＩＰパネルは、冷蔵庫のような静的な商品、及び冷蔵車内の性能を向上させるために使用される。
【０００４】
ＶＩＰパネルは、特に建物をより熱的に効率的にすることを目的として、建物の断熱材に益々使用されつつある、又は使用することが提唱されている。ＶＩＰパネルは、一般的に、従来の断熱パネル（より薄いことによって）より小型であり、空間及びエネルギーの両方の節約を確実なものにする。「空洞」の壁内の断熱はよく知られているが、建物の外側の壁上の断熱性を改善させることが益々所望されている。
【０００５】
従来、建物の外壁断熱は、従来の発泡体又は繊維質の断熱材で形成された固体パネルによって提供される。そのようなパネルは、建設及び断熱工程における取り扱いに耐えることができ、任意のサイズに切断及び形状化することができ、故意に又は偶然にその特性に影響を与えることなく、そのようなパネルを貫通することができる、釘及びその他の固定金具などの簡単な固定方法で、壁に固定することができる、強固な製品を提供する。
【０００６】
ＶＩＰパネルは、真空を含むため、一般的にあまり強固でなく、かつ関連する取り扱いに耐え得るように、設置及び固定の際に、少なくとも何らかの保護を必要とする。このため、従来、建築目的におけるＶＩＰパネルは、「サンドイッチ」の形態の発泡体の保護層に完全に包覆され、いかなる著しい再サイズ決定も可能にしない、１サイズ又は形状のみのものである。ＶＩＰパネル自体を切り離して、真空断熱効果を打ち消すことになるため、そのような従来のパネルは、切断する、又は任意の形状に大幅に切り取ることはできない。重ねて、ＶＩＰパネルの内側の切断を回避するために、それらはまた、それらの縁部以外は壁に固定することができない。
【０００７】
したがって、正確かつ完全な数のそのような断熱パネルを収容するように、厳密に形状化されていない壁を被覆する際は、他の種類の非ＶＩＰ充填パネルを使用しなければならない。これは、特に、壁にいくつかの窓があり、１サイズの従来の断熱パネルを使用することができないかなりの領域が存在し得る場合、真空断熱材の使用の全体的な効果の一部を失う。
【発明の概要】
【発明が解決しようとする課題】
【０００８】
本発明の目的は、可変数又は形状のＶＩＰパネルを有するパネルセットを提供する、改善された壁断熱パネルのシリーズを提供することである。
【課題を解決するための手段】
【０００９】
本発明の一態様では、モジュール式壁断熱システムのための壁断熱パネルのシリーズが提供され、各壁断熱パネルは、少なくとも、第１の保護シェルと、１つ以上の中間ＶＩＰパネルと、第２の保護シェルとからなる連続層を備え、このシリーズの壁断熱パネルは、２つ以上のセットを含み、各セットが、完全に又は実質的に同一の外形寸法を有する第１及び第２の保護シェルを含み、少なくとも第１及び第２のセットが、
（ｉ）異なる数の同一のＶＩＰパネル、
（ｉｉ）異なる形状のＶＩＰパネル、又は
（ｉｉｉ）（ｉ）及び（ｉｉ）の両方、のうちいずれかを含むことを特徴とする。
【００１０】
これにより、建築家、設計者、及び／又は壁断熱パネルの設置者に、単一の「形状」又は「外形」を有するＶＩＰ壁断熱パネルの異なるセットを提供することができる。設計者等は、全体、及び各壁の部分、位置、又は配置等の両方について、いくつの及びどの壁断熱パネルが、かつどこで必要とされるかを、より容易に理解、計画、ないしは、予測することができる。これは、中に異なる数及び／又は形状のＶＩＰパネルを有する壁断熱パネルの構成の理解に基づき得る。特に、本発明のＶＩＰベースのパネルの同一シリーズからの異なる壁断熱パネルは、規則的でない、又は窓、ドア、若しくは他の入口のような別個の隙間を必要とする、断熱されるべき壁の領域に適合するように、かつＶＩＰ壁断熱パネルの完全な寸法と正確に整合しない可能性がある壁の縁部に適合するように、使用され得る。
【００１１】
本発明の壁断熱パネルは、その外部又は内部の長さの少なくとも２０％、２５％、３５％、４０％、４５％、５０％、５５％、６０％、６５％、７０％、若しくは７５％以上を有する１つ以上のパネル、又は１つ以上の中間ＶＩＰパネルを含まない空間を含み、そのようなＶＩＰを含まない壁断熱パネルの領域は、指定された壁の位置に要求される、必要な又は所望の最終的な壁断熱パネルの形状を提供するために、切断され得る。
【００１２】
本発明の一実施形態によれば、本発明の壁断熱パネルの全てのセットの第１及び第２の保護シェルは、同一の外形寸法、特に長さ、高さ、及び深さを有する。
【００１３】
好ましくは、本発明の壁断熱パネルは、これらに限定されないが、正方形、長方形、又は多角形を含む、規則的な形状であり、より好ましくは、モザイク模様にすることができる形状である。
【００１４】
例えば、壁断熱パネルは、側面比が約２対１の長方形であってもよい。
【００１５】
本発明の壁断熱パネルは、例えば、内壁、外壁、天井、屋根、床、ドア、又は類似の構造を提供することを目的とする他のあらゆる表面であり、かつこれらに限定されない、任意の壁の種類、形態、及び範囲に使用可能である。壁の性質、範囲、設計、及び形状は、本発明の要素を限定するものではない。
【００１６】
好ましくは、壁の断熱パネルは、建物の外壁に使用可能である。
【００１７】
各第１の保護シェルの性質、サイズ、形状、及び設計は、本発明に限定されるものではない。それは、任意の好適な材料から形成されることが可能であり、好ましくは、耐久性のあるプラスチック発泡体であり、より好ましくは、発泡ポリスチレン（ＥＰＳ）、押出ポリスチレン（ＸＰＳ）、ポリウレタン（ＰＵ）、ＰＩＲ（ポリイソシアヌレート発泡体）、アルミニウム、又は任意の硬質プラスチックからなる群から選択される。
【００１８】
同様に、各第２の保護シェルの性質、サイズ、形状、及び設計は、本発明に限定されるものではなく、第１の保護シェルのそれらと同一であっても異なってもよい。好ましくは、第２の保護シェルもまた、任意の好適な材料から形成されることが可能であり、より好ましくは、耐久性のあるプラスチック発泡体であり、更により好ましくは、発泡ポリスチレン（ＥＰＳ）、押出ポリスチレン（ＸＰＳ）、ポリウレタン（ＰＵ）、ポリウレタン（ＰＵ）、ＰＩＲ（ポリイソシアヌレート発泡体）、アルミニウム、又は任意の硬質プラスチックからなる群から選択される。
【００１９】
各第２の保護シェルは、外接面を有する。「外」という用語は、本明細書では、ほとんどの建物の壁が内接面及び外側面又は外接面を有するのと同様に、壁会合面の反対を意味するために使用される。一般的に、パネルの「外」接面は、壁にパネルを適用した後、依然として見えるパネルの表面である。
【００２０】
任意に、第１及び第２の保護シェルは、製造工程を簡略化するために、同一又は類似の性質、サイズ、形状、及び設計を有する。好ましくは、各セットは、任意に同一の材料で形成された、同一の第１及び第２の保護シェルを含む。
【００２１】
典型的な、しかし限定的ではない、壁断熱パネルの寸法は、「幅」０．３メートル〜２．５メートル、「高さ」０．３メートル〜４メートル、「厚さ」５０ミリメートル〜５００メートルの範囲内であり得る。
【００２２】
本発明の明確な利益は、（異なる数及び／又は異なる配列の）既存の形状のＶＩＰパネルを依然として使用する一方で、異なる形状等の第１及び第２の保護シェルの容易な製造に基づき、異なる形状又はより小さい／より大きい壁断熱パネルの、任意の数、範囲、又は組み合わせを提供することである。
【００２３】
また、好ましくは、第１及び第２の保護シェルは、ブロー成形及び射出成形を含むが、これらに限定されない成形工程によって成形、ないしは、形成される。
【００２４】
第１及び第２の保護シェルは、事前製造され、次に、（例えば、接着剤を用いて）ＶＩＰパネル（複数可）に挟まれてもよく、又は全ての断熱パネルは、１つ以上のＶＩＰパネルの周囲に硬質発泡体により製造されてもよい。
【００２５】
別の方法として、（おそらくシェービングクリームの硬度を有する）まだ反応していない液状発泡体が、ＶＩＰパネル（複数可）の片側に注がれ、その組み合わせは、「圧搾ローラー」のようなプレス器を通り、次に、同一の工程がＶＩＰパネル（複数可）の他方の面上で行われる。
【００２６】
好ましくは、本発明の第１及び第２の保護シェルは、可変数のＶＩＰパネル、可変形状のＶＩＰパネル、又はその両方を収容するように、それらの間に複数の空洞を形成する。
【００２７】
したがって、本発明の別の態様によれば、１つ以上のＶＩＰパネルと、第１の成形保護シェルと、第２の成形保護シェルとを備え、完全に又は実質的に同一の外形寸法を有し、その間に複数の空洞を形成する、壁断熱パネルが提供され、前記シェルは、
（ｉ）異なる数の同一のＶＩＰパネル、
（ｉｉ）異なる形状のＶＩＰパネル、又は
（ｉｉｉ）（ｉ）及び（ｉｉ）の両方、のうちいずれかを収容できる。
【００２８】
本発明の中間ＶＩＰパネルは、第１及び第２の保護シェル間に収容可能な、任意の好適な性質、サイズ、形状、及び設計を有してもよい。ＶＩＰパネルは、任意の好適な外膜、膜、壁、被覆等、中に真空がある、一般に「膜材料」と呼ばれるもので形成されてもよい。この真空は、一般的に、「周囲」又は「大気」の圧力よりも低い、任意の好適な圧力であってもよく、例えば、ヒュームドシリカが充填されたＶＩＰには０．５キロパスカル（５ミリバール）未満、ミネラルウールが充填されたＶＩＰには０．１キロパスカル（１ミリバール）未満とする。真空圧は、ＶＩＰパネルのサイズ及び他の構造パラメーターに関連してもよい。
【００２９】
ＶＩＰパネルは、１つ以上の内部媒体を含んでもよい。内部媒体は、エアロゲル、シリカ、特にヒュームドシリカ、ガラス繊維、マイクロガラス繊維などの材料を含む。
【００３０】
本発明の一実施形態によれば、本発明で使用されるＶＩＰパネルは、米国、ミシガン州ミッドランドのＤｏｗ  Ｃｏｒｎｉｎｇ  Ｃｏｒｐｏｒａｔｉｏｎから入手可能なヒュームドシリカＶＩＰパネルである。
【００３１】
アルミニウム箔などの膜材料は、良好な真空耐熱特性を有し、ＶＩＰパネルの製造方法において、容易に「密封可能」である。１つ以上の更なる層又は被覆は、膜材料内に存在する、又は膜材料なしで存在してもよい。しかしながら、完全な真空層を製造することは、特にＶＩＰパネルを形成するために使用される真空圧力では不可能であり、それは、温度変化、長期露出、何らかの衝撃等の建物の壁の「状態」、及び、一般的に建物製造業者が所望する、長い製品寿命と有効性の達成に左右される。
【００３２】
したがって、本発明の壁断熱パネルは、第２のパネルの外接面の変形を伴わずに、前記又は各ＶＩＰパネルの拡張を可能とするように、第１及び第２の保護シェルの少なくとも一方と、前記又は各中間ＶＩＰパネルとの間に１つ以上の拡張領域を更に含んでもよい。
【００３３】
このようにして、外接面の完全性は維持され得る。これには、環境、特に天候に対する障壁、並びに外接面、又はそれらの完全性が外接面の完全性によって影響を受けるであろう、外接面に追加された任意の更なる層若しくは表面、又は材料の美的外観が含まれるが、これらに限定されない。例えば、外接面内のいかなる変形も、その上に追加されたレンダリング層を破砕して、湿気の侵入（及び関連する問題の発生）を可能にするだけでなく、外観を見苦しくするであろう。
【００３４】
拡張領域は、第２の保護シェルの外接面の形状や平面に影響を与えずに、壁断熱パネルの寸法内での真空断熱パネルの拡張に対応することができる、任意の領域又は空間を含むことができる。
【００３５】
本発明の別の実施形態によれば、拡張領域は、補正層を含む。補正層は、任意に、１つ以上の層及び／又は材料を含み、第２の保護シェルの外接面を変形させることなく、２次元又は３次元において、ＶＩＰパネルのサイズ内での任意の拡張を補正することができる。
【００３６】
好ましくは、補正層は、少なくとも一部が、ＶＩＰパネルの拡張に対応するために変形可能である、１つ以上の固体又は半固体材料を含む。任意に、補正層は、同一又は異なる１つ以上の材料から形成されてもよく、前記材料の少なくとも１つは変形可能であり、前記材料の少なくとも１つは、ＶＩＰパネルの変形又は拡張による変形が不可能である。
【００３７】
補正層の「異なる」材料は、１つ以上のプラスチックのような、異なる密度、分子量等の異なる特性を有する、同一の化学又は材料組成を有する材料を含んでもよい。ＥＰＳなどのプラスチックは、同一の種類の、しかし、特に強度などの異なる機械的特質を持つプラスチックを提供するように、異なる密度、分子量等で利用可能である。
【００３８】
任意に、拡張領域は、上で定義されるような１つ以上の変形可能な材料と、１つ以上の空域又はポケットなど、１つ以上のガス状の領域又は空間とから形成される。
【００３９】
本発明の別の態様によれば、拡張領域又は補正層が、リブ、管、ばね、及び、例えば、非常に柔らかい発泡体などの軟性及び／又は圧縮可能な材料からなる群のうちの１つ以上を含む。
【００４０】
任意に、拡張領域は、リブ、管、ばね、低密度軟質発泡体、付着リブ又は管、延長リブ又は管、シリコーン発泡体からなる群のうちの１つ以上を含む。リブ又は管等のいずれのそのようなシリーズも、ＶＩＰ接面とＶＩＰパネルとの間に延在することができ、かつ少なくともそのようなリブ又は管等の一部は、例えば、ＰＵ低密度軟質発泡体から作製されることによって、変形可能である。任意に、リブ又は管は、ＶＩＰ接面とＶＩＰパネルとの間に波形面を提供する。また、任意に、リブ又は管は、ＶＩＰパネルと会合するように、ＶＩＰ接面から延在する。
【００４１】
本発明は、中に異なる数、異なる形状、又はその両方のいずれかのＶＩＰパネルを含む、類似の形状、好ましくは規則的な形状の壁断熱パネルのセットを提供する。例えば、「十分な」又は「完全な」パネルのテンプレートとして機能する壁断熱パネルの第１のセットが提供され得、このパネルは、２つ、３つ、４つ、５つ、６つ等の同一の形状又は類似の形状のＶＩＰパネルを含むことができ、通常、幾何学的パターン又は形状である、第１及び第２の保護シェル間の空間又は空洞を完全に充填することができる。したがって、豊富な知識があるときには、壁断熱パネル内の特定の場所（１つ又は複数）にある前記ＶＩＰパネルの少なくとも１つ以上を有さずに、壁断熱パネルの第２のセットが提供され得る。例えば、壁断熱パネルの「完全な」第１のセットは、特定の場所における２つ又は４つの中間ＶＩＰパネルを収容することが可能であり得、パネルの第２のセットは、同一のテンプレートに基づくことができるが、少なくとも１つのＶＩＰパネルは、「完全な」壁断熱パネルと同一の正規の場所には配置されていない。
【００４２】
同様に、第１及び第２の保護シェルの中間にある空間を全体として又は実質的に完全に充填することができる、中に正方形又は長方形のようなＶＩＰパネルの一形状を有する壁断熱パネルの第１のセットを提供することが可能であり、かつ異なる形状の１つ以上の中間ＶＩＰパネルを有する壁断熱パネルの第２のセットを提供することが可能である。
【００４３】
したがって、本発明の別の実施形態によれば、本発明の壁断熱パネルのシリーズは、
（ａ）２つの同一の形状のＶＩＰパネルを含む壁断熱パネルの第１のセットと、
（ｂ）１つのＶＩＰパネルを含む壁断熱パネルの第２のセットと、
（ｃ）２つの異なる形状のＶＩＰパネルを含む壁断熱パネルの第３のセットと、を少なくとも含むことができる。
【００４４】
任意に、第２のセットの壁断熱パネルは、ＶＩＰパネルのうちの１つのみを有する（又は２つのＶＩＰパネルのうちの１つを有さない）、第１のセットの壁断熱パネルに基づいており、かつ壁断熱パネルの第３のセットは、第１セットと第２セットの中間にある異なる形状の２つのＶＩＰパネルを含む。例えば、第３のセットは、元のＶＩＰパネルよりも小さいサイズの追加のＶＩＰパネルと共に、第１及び第２のセットのものと類似の１つのＶＩＰパネルを備える壁断熱パネルを含むことができる。
【００４５】
したがって、本発明の別の実施形態によれば、第１のセット、第２のセット、及び任意に第３のセットの１つのＶＩＰパネルは、同一のＶＩＰパネルの形状を有する。任意に、第３のセットのＶＩＰパネルは、第１の形状を有する第１のＶＩＰパネルを含み、第２のＶＩＰパネルは、第１のＶＩＰパネルの形状の半分の幅及び／又は高さである。
【００４６】
このように、本発明は、例えば、完全なＶＩＰ「ドミノ」の形で、中に２つのＶＩＰパネルを有するパネルの第１のセットと、「半分のＶＩＰドミノ」である壁断熱パネルの第２のセットと、１つ半のＶＩＰ「ドミノ」パネルを有することにより、第１及び第２のセットの中間にある壁断熱パネルの第３のセットと、を有する壁断熱パネルのシリーズを提供することができる。
【００４７】
本発明のシリーズは、異なる数及び／又は異なる形状のＶＩＰパネルを有する、壁断熱パネルの追加セットを含んでもよい。
【００４８】
本発明のシリーズはまた、外面、一般的に第１又は第２の保護シェルの外面、又はその両方の外面上にマーキング又は印を含んでいてもよく、各中間ＶＩＰパネルの位置と、前記若しくは各中間ＶＩＰパネル、又はその両方を切断せずに切断可能な壁断熱パネルの部分（複数可）とのうちのいずれかを示す。このようなマーキング又は印は、色付きの線、凹み等を含み、中間ＶＩＰパネルを切断することなく、設置時に壁断熱パネルを確実に切断する。
【００４９】
本発明の別の実施形態によれば、第１及び第２の保護シェルのうちの一方又は両方は、長手方向のスプライン凹部を更に含み、このシリーズは、中間の当接する壁断熱パネルに適合するように複数のスプラインを含む。
【００５０】
スプラインは、第１及び第２の保護シェルの材料と同一又は異なる材料で形成され、２つの当接する壁断熱パネルの直接かつ容易な位置合わせを提供することができる。このシリーズの全ての壁断熱パネルが、同一の形状又は外形、最もとりわけ、同一の外形寸法を有する場合、これらのスプライン凹部は、他の壁断熱パネル内のスプライン凹部と整合するために、各々の壁断熱パネルの周辺の対応する位置に最も容易に配置されることができる。
【００５１】
本発明の別の実施形態によれば、各壁断熱パネルは、いくつか、好ましくは各パネルの角部に１つの壁固定開口部と、ＶＩＰパネルからのオフセットした中心点を通る１つの壁固定開口部とを含み、各開口部は、連続するパネル層に横方向に延在する。
【００５２】
各パネルの角部にある壁固定開口部は、十分に完全でないこともあり、すなわち、パネルの角部の一部分が切り取られるのみであることもあり、パネルは、類似の当接する壁断熱パネルの数と整合したとき、最終的に完全な開口部を作る。開口部は、ピンなどの任意の好適な壁固定装置を収容することができ、ピンは、任意に、壁断熱パネルを使用時に固定するフランジ付きヘッドを有する。
【図面の簡単な説明】
【００５３】
ここで、本発明の実施形態を添付の図面を参照して単なる例として説明する。
【図１ａ】それぞれ、本発明の一実施形態によるシリーズの１セットの壁断熱パネルの拡張及び閉鎖斜視図である。
【図１ｂ】それぞれ、本発明の一実施形態によるシリーズの１セットの壁断熱パネルの拡張及び閉鎖斜視図である。
【図２】図１ａ及び図１ｂに示したいくつかの壁断熱パネルの斜視図である。
【図３】図２のＡＡ線に沿った断面側面図である。
【図４】本発明の別の実施形態による、壁断熱パネルシリーズの第１、第２、及び第３のセットを表す３つの壁断熱パネルの平面図である。
【図５】本発明の別の実施形態による、壁断熱クラッディングを形成するために、図４の壁断熱パネルのシリーズによって被覆される壁の正面図である。
【発明を実施するための形態】
【００５４】
図面を参照すると、図１ａ及び図１ｂは、本発明の実施形態によるモジュール式壁断熱システムのための壁断熱パネルシリーズを提供することができる、壁断熱パネルを表すものとして壁断熱パネル２を示す。
【００５５】
図１ａ及び１ｂは、第１の保護シェル４と、中間ＶＩＰパネル６と、第２の保護シェル８とを有する、壁断熱パネル２を示す。
【００５６】
第１及び第２の保護シェル４、８は、同一又は実質的に同一の寸法、特に、同一の長さ、高さ、及び深さを有する成形品としてＥＰＳから形成される。任意に、図１ｂに示すように、第１及び第２のシェル４、８が閉じているとき、肩部の重複を提供するために、第１及び第２の保護シェル４、８の対向する肩部間に何らかの変動があってもよい。また、任意に、第１及び第２の保護シェル４、８の一方又は両方は、以下でより詳細に説明する、いくつかのスプライン凹部１０を含んでもよい。
【００５７】
第１及び第２の保護シェル４、８は、その間に複数の空洞を形成し、これは、第１の保護シェル４内に示される２つの押し下げトレイ部１２、及び第２の保護シェル８内の類似した対向する押し下げトレイ（図示せず）により、図１ａに表される。
【００５８】
第１及び第２の保護シェル４、８との間に、中間ＶＩＰパネル６が配置されており、中間ＶＩＰパネル６は、第１及び第２の保護シェル４、８内のトレイ凹部１２によって作られる空洞うちの１つの中に適合するように形状化され、寸法決めされる。
【００５９】
ＶＩＰパネル６は、アルミニウム膜と、米国のミシガン州ミッドランドにあるＤｏｗ  Ｃｏｒｎｉｎｇ  Ｃｏｒｐｏｒａｔｉｏｎから入手可能な内部ヒュームドシリカ媒体とから形成することができる。
【００６０】
拡張領域は、ＶＩＰパネル６と第２の保護シェル８の対向する内側面との間に提供又は形成され、第２の保護シェル８の外接面８ａの変形を伴わずに、ＶＩＰのパネル６の拡張を可能にする。拡張領域は、補正層を含み、この補正層は、表面上で近接するＶＩＰパネル６の表面へ横方向に連続する波のような、波形のような構造を有するシート状の材料１４を形成するために、規則的に横切って延在するいくつかの押し出されたリブを有する表面シートから形成される。
【００６１】
リブは、ＶＩＰパネル６のサイズを増大させるＶＩＰパネル６の漏出が、拡張領域の領域内のリブの破砕により収容され得るように、変形可能であり、それによって、第２の保護シェル８の対向する内側の表面に延在するＶＩＰパネル６の影響を回避する。
【００６２】
その結果、第２の保護シェル８の外接面の変形もまた回避される。したがって、外接面の完全性を維持することができる。この完全性は、環境、特に天候、に対する障壁、同様に、外接面、又は外接面上に追加された任意の更なる層若しくは表面、又は材料の美的外観が含まれるが、これに限定されない。例えば、外接面内の任意の変形は、その既知の関連する問題を伴って、湿気の侵入を可能にし、その上に追加されたレンダリング層を破砕し、同様に永久に見苦しくするであろう。
【００６３】
図１ａは、第１の空洞と同一のサイズ及び寸法の、第２の凹部トレイ１２として、第２の空洞を形成する、第１及び第２の保護シェル４、８を示すが、その中にある任意のＶＩＰパネルは除く。空の空洞は、第１及び第２の保護シェルと同一の材料で充填される発泡体であり得る。
【００６４】
図１ｂは、閉形での壁断熱パネル、及び各々のスプライン凹部１０の中のスプライン１６の追加を示す。壁断熱パネル２の閉形は、約２対１の側面比の長方形である。
【００６５】
図１ａ及び１ｂは、各角部にある一部を切り取った壁固定開口部１８と、ＶＩＰパネル６からオフセットした中心点を通る１つの完全な壁固定開口部２０とを有する壁断熱パネル２を示し、各開口部は、連続するパネル層に横方向に延在する。固定開口部１８及び２０は、特に好適な固定ピン２２の形状に合わせて、直径が異なってもよい。固定ピン２２は、固定開口１８及び２０が皿部を含むように、拡大ヘッド又はフランジ付きヘッドを有し、この皿部において、一度に一緒に壁断熱パネル２の外接面８ａの平面にわたり、固定ピン２２のフランジ付きヘッドを収容することができる。
【００６６】
図２は、図１ａ及び１ｂの壁断熱パネル２に類似する、側面に沿ってスプライン凹部２４を有する、３つの壁断熱パネル２２を示し、いくつかのスプライン２６は、２つの隣接する壁断熱パネル２２の対向するスプライン凹部２４内に収容されるように調整され、それによって、一旦相互に当接されると、位置決め及び全体の組み合わせを支援する。
【００６７】
図３は、２つの壁断熱パネル２２の間のスプライン２６の位置合わせを示す、図２のＡＡ線に沿った断面図を示す。図３はまた、第１及び第２の保護シェル２８、３０と、ＶＩＰパネル３２と、壁断熱パネル２２の拡張領域３４とを示す。
【００６８】
図４は、本発明の実施形態による、壁断熱パネルシリーズを形成する、３つの代表的な壁断熱パネルを示し、このシリーズは、
（ａ）２つの同形のＶＩＰパネル４６を含む壁断熱パネルの第１のセット４０と、
（ｂ）１つのＶＩＰパネル４６を含む壁断熱パネルの第２セット４２と、
（ｃ）２つの異なる形状のＶＩＰパネルを含む壁断熱パネルの第３のセット４４とを備える。
【００６９】
壁断熱パネルの第１のセット４０が、その中にあるＶＩＰパネル４６の「完全な」又は「完全なテンプレート」を有すると定義されてもよく、ＶＩＰパネルは、実質的に壁断熱パネルの第１のセット４０の平面を被覆する。
【００７０】
壁断熱パネルの第２のセット４２は、片側に、壁断熱パネルの第１のセット４０内のＶＩＰパネル４６と同じ、ＶＩＰパネル４６を１つのみを含む。これにより、壁断熱パネルの第２のセット４２は、ＶＩＰパネル４６によって被覆される壁断熱パネルの平面の５０％未満を有することが分かる。壁断熱パネルの第２のセット４２の残りの部分４３は、効果的に「ブランク」として存在し、かつ、特定の切断において、任意に又は設置者の所望により、ＶＩＰパネル４６に影響を与えずに成形することができる。
【００７１】
壁断熱パネルの第３のセット４４は、壁断熱パネル４０、４２の第１及び第２のセットにおいて、ＶＩＰパネル４６と同一の形状を有するＶＩＰパネル４６を有する。壁断熱パネルの第３のセット４４はまた、第１のＶＩＰパネル４６の形状の半分の幅及び／又は高さを有する第２のＶＩＰパネル４８を含む。壁断熱パネルの第３のセット４４の残りの「ブランク」部分４９は、上述のとおり、ＶＩＰパネル４６及び４８に影響を与えずに切断、ないしは、形状化できる。
【００７２】
特に、同一の寸法を有する、第１及び第２の保護シェルは、それらが同一の成形工程及び同一の材料から形成されることを可能にすることが、図４から分かる。このように、本発明の特徴は、各セットが、同一の第１及び第２の保護シェルを備えるが、壁断熱パネルのいくつかの異なるセットを提供することができることである。これは、壁断熱パネルのシリーズを形成するために必要な異なる構成要素の数を減少させ、それにより、製造コストを低減させ、輸送コストを簡略化する。更に重要なことに、それは、建築家、設計者、及び／又は設置者に壁断熱パネルの規則的な形状を提供し、壁の詳細、最もとりわけ、任意の窓、ドア、又は他の入口、及び壁の縁部、又は壁の断熱された部分の縁部を適合させるために、壁断熱パネルを配置、設計及び／又は設置する工程を簡略化する。
【００７３】
更に、図４に示されるように、３つのセット４０、４２、４４全てにおいて同一の形状のＶＩＰパネル４６を用いることにより、第１及び第２のセット４０、４２と、第３のセット４４を形成するのに必要とされる唯一の追加的なＶＩＰ形状４８とをもたらすために必要とされる最小限の製造上の変更がある。図４に示す壁断熱パネルの３つのセット４０、４２、４４の製造の簡略さ、輸送の容易さ、及び設計者、設置者等への簡略さは、全範囲にわたって、１つのサイズのみのＶＩＰパネルを使用した従来の壁断熱パネルシステムと対比することができる。そのような従来の壁断熱パネルは、その縁部の周辺の最小限のトリミングを超えて切断されることができないだけでなく、壁面にわたって必要とされる断熱範囲を完備するために、特に窓、ドア、及び縁部等の周辺の完全なパネル張りに適合するように、充填材片が必要とされる。
【００７４】
図５は、窓５２及び側縁部５４を有する壁（図５には示されていない）の全ての範囲にわたる、図４に示される壁断熱パネル４０、４２、及び４４の第１、第２、及び第３のセットの使用を示す。特に、図５は、そのような壁断熱パネルの切断が、窓５２又は縁部５４を整合させることが必要とされない、いくつかの壁断熱パネルの第１のセット４０の適用を示す。図５はまた、いくつかの壁断熱パネルの第２のセット４２の適用を示し、そのような切断がＶＩＰパネル４６を切断しないということを知った上で、ブランク部分４３は、窓５２の形状に整合するように切り取り可能である。図５はまた、特に、壁の縁部５４に沿って第２のＶＩＰパネルの形状４８を使用するように形成された、いくつかの壁断熱パネルの第３のセット４４の適用を示す。
【００７５】
図５は、壁断熱パネルの単一の外形に基づいて、本発明の壁断熱パネルのシリーズが、モジュール式壁断熱システムをどのようにして提供することができるか、並びに断熱される壁の形状及び除外領域に最も良く適応するための、その中のＶＩＰパネルの数及び／又は形状の変動を示す。一旦、全ての壁断熱パネルが一体化された後で、図５は、説明した当接する２つ以上の壁断熱パネルのシリーズを含む、完全な壁断熱クラッディング５６と、前記２つ以上の異なる壁断熱パネルを使用したモジュール式壁断熱システムとを示す。
【図１ａ】
2015505922.tif 000003
【図１ｂ】
2015505922.tif 000004
【図２】
2015505922.tif 000005
【図３】
2015505922.tif 000006
【図４】
2015505922.tif 000007
【図５】
2015505922.tif 000008
【国際調査報告】
2015505922.tif 000009
2015505922.tif 000010
2015505922.tif 000011